(57)【要約】  【課題】  ソーラパネルを備えない空気調和機の機種にソーラパネルを付加する場合、ソーラパネル関係の電装部品を室外機内の電装部に組み込む必要があり、その組み立てが面倒であると共に、ソーラパネル関係の電装部品を組み込むための基板部分や組み込み空間を予め準備しておく必要がある。本発明は、ソーラパネル関係の電装部品を収納した電装ボックスを室外機の外側面に取り付ける形態を採用し、電装ボックス内の電装部品に対する雨水対策と電装部品の放熱を良好にできる技術を提供するものである。  【解決手段】  空気調和機用電装部品３を取り付けたプリント基板２を収納する縦長矩形状電装ボックス４の縦壁５に複数の放熱用開口６が形成され、前記縦壁５の内面との間に電装部品３の放熱空気の流通間隔７を存して前記放熱用開口６を覆う状態に防水壁８が配置され、防水壁８の内側にプリント基板２が縦方向に支持されたものである。【選択図】  図１
2005249269.tif 000002
【特許請求の範囲】
【請求項１】
空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記左右の防水壁間に前記プリント基板が縦方向に支持されたことを特徴とする空気調和機用電装装置。
【請求項２】
空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁間においてレール部材にスライド自在に縦方向に支持されたことを特徴とする空気調和機用電装装置。
【請求項３】
空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁に縦方向に支持されたことを特徴とする空気調和機用電装装置。
【請求項４】
空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁に設けたレール部材にスライド自在に縦方向に支持されたことを特徴とする空気調和機用電装装置。
【請求項５】
空気調和機用電装部品が取り付けられたプリント基板が縦長矩形状電装ボックスの前壁に沿って縦方向にスライド自在にレール部材にて支持され、前記電装ボックスの左右の縦壁には複数の放熱用開口が形成され、前記左右の縦壁と前記プリント基板との間には前記電装部品の放熱空気の流通間隔を存して前記複数の放熱用開口を覆う状態に左右の防水壁が配置され、前記電装ボックスは後面と下面が取り外し自在な蓋体にて塞がれ、前記プリント基板の電装部品への接続電線の引き出し部が前記電装ボックスの下面に設けられ、前記電装ボックスは前記前壁が前記空気調和機の室外機の背面に沿う状態に着脱自在に取り付けられたことを特徴とする空気調和機用電装装置。
【請求項６】
前記室外機とは別個にソーラパネルが設置され、前記空気調和機用電装部品が前記ソーラパネルに電気的に接続されたコンバータを含む電装部品であることを特徴とする請求項１乃至５のいずれかに記載の空気調和機用電装装置。
【請求項７】
前記プリント基板の電装部と前記電装ボックスとの電気絶縁を行う絶縁シートを前記レール部材によって前記防水壁へ取り付けたことを特徴とする請求項４に記載の空気調和機用電装装置。
【請求項８】
前記左右の防水壁の内側面と前記プリント基板の電装部との電気絶縁を行う絶縁シートが前記レール部材によって前記防水壁へ取り付けられ、前記電装ボックスの上壁面と前記プリント基板の電装部との電気絶縁を行う絶縁シートが取り付けられ、後者の絶縁シートの取り付け部材が前記プリント基板の上端部の支持を行うことを特徴とする請求項１乃至６のいずれかに記載の空気調和機用電装装置。
【発明の詳細な説明】
【技術分野】
【０００１】
本発明は、空気調和機用電装装置に関し、特に空気調和機の室外機の外面に電装ボックスを取り付ける形態の技術に関する。
【背景技術】
【０００２】
空気調和機の室外機にはその上方にソーラパネルを設置し、このソーラパネルは接続ケーブルを介して室外機内の上部に配置された電気部品や電子基板等の電装部品と電気的に接続される形態のものがある（例えば、特許文献１参照）。
【０００３】
このものは、電装部品が室外機内に配置されているため、ソーラパネルを備えない機種にソーラパネルを付加する場合、ソーラパネル関係の電装部品を室外機内の電装部に組み込む必要があり、その組み立てが面倒であると共に、ソーラパネル関係の電装部品を組み込むための基板部分や組み込み空間を予め準備しておく必要がある。
【特許文献１】特開２００２−１６８４９８号公報
【発明の開示】
【発明が解決しようとする課題】
【０００４】
このような特許文献１のものに対して、ソーラパネル関係の電装部品は室外機内の電装部に組み込むのではなく、別個の電装ボックスを用意し、この電装ボックス内にソーラパネル関係の電装部品を組み込み、この電装ボックスを室外機の外側面に取り付けることができる形態が考えられる。このようにすれば、ソーラパネルを備えない機種にソーラパネルを付加する場合も、ソーラパネル関係の電装部品の取り付けも容易であり、しかも、ソーラパネル関係の電装部品の修理点検もし易くなる。
【０００５】
本発明は、このような点に鑑みて、ソーラパネル（太陽電池パネル）関係の電装部品を収納した電装ボックスを室外機の外側面に取り付ける形態を採用することとし、その場合、電装ボックス内に収納した電装部品に対する雨水対策がなされ且つ電装部品の放熱も良好な技術を提供するものである。
【０００６】
また本発明は、このような技術でもって、ソーラパネルを備えない空気調和機の電装部品を収納した電装ボックスを室外機の外側面に取り付けるタイプにも適用可能なものとなる。
【課題を解決するための手段】
【０００７】
第１の発明は、空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記左右の防水壁間に前記プリント基板が縦方向に支持されたことを特徴とする。
【０００８】
第２の発明は、空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁間においてレール部材にスライド自在に縦方向に支持されたことを特徴とする。
【０００９】
第３の発明は、空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁に縦方向に支持されたことを特徴とする。
【００１０】
第４の発明は、空気調和機用電装部品が取り付けられたプリント基板を収納する縦長矩形状電装ボックスの左右の縦壁には複数の放熱用開口が形成され、前記左右の縦壁の内面との間に前記電装部品の放熱空気の流通間隔を存して前記複数の放熱用開口を覆う状態に左右の防水壁が配置され、前記プリント基板はその左右両端部が前記左右の防水壁に設けたレール部材にスライド自在に縦方向に支持されたことを特徴とする。
【００１１】
第５の発明は、空気調和機用電装部品が取り付けられたプリント基板が縦長矩形状電装ボックスの前壁に沿って縦方向にスライド自在にレール部材にて支持され、前記電装ボックスの左右の縦壁には複数の放熱用開口が形成され、前記左右の縦壁と前記プリント基板との間には前記電装部品の放熱空気の流通間隔を存して前記複数の放熱用開口を覆う状態に左右の防水壁が配置され、前記電装ボックスは後面と下面が取り外し自在な蓋体にて塞がれ、前記プリント基板の電装部品への接続電線の引き出し部が前記電装ボックスの下面に設けられ、前記電装ボックスは前記前壁が前記空気調和機の室外機の背面に沿う状態に着脱自在に取り付けられたことを特徴とする。
【００１２】
第６の発明は、第１乃至第５の発明において、前記室外機とは別個にソーラパネル（太陽電池パネル）が設置され、前記空気調和機用電装部品が前記ソーラパネルに電気的に接続されたコンバータを含む電装部品であることを特徴とする。
【００１３】
第７の発明は、第４の発明において、前記プリント基板の電装部と前記電装ボックスとの電気絶縁を行う絶縁シートを前記レール部材によって前記防水壁へ取り付けたことを特徴とする。
【００１４】
第８の発明は、第１乃至第６の発明において、前記左右の防水壁の内側面と前記プリント基板の電装部との電気絶縁を行う絶縁シートが前記レール部材によって前記防水壁へ取り付けられ、前記電装ボックスの上壁面と前記プリント基板の電装部との電気絶縁を行う絶縁シートが取り付けられ、後者の絶縁シートの取り付け部材が前記プリント基板の上端部の支持を行うことを特徴とする。
【発明の効果】
【００１５】
第１の発明では、電装ボックスは、空気調和機用電装部品が取り付けられたプリント基板を縦方向に収納する縦長矩形状であるため、放熱用開口を縦壁に配列できる形態となり、雨水対策がし易くなる。また、電装部品から発生する熱は、電装ボックスの左右壁と防水壁との間の放熱空間を通って電装ボックスの左右壁に形成した放熱用開口から放出されるため、電装部品の過熱防止効果が得られ、一方、電装ボックスに降り掛かる雨水が放熱用開口から浸入しても、侵入した雨水は防水壁に当たって電装部品へ達することが阻止され、電装ボックスの左右壁と防水壁との間の放熱空間を流下して下方の排水部から電装ボックス外へ排出されるため、電装部品に対する耐水効果が得られるものとなる。
【００１６】
第２の発明は、第１の発明の効果に加えて、プリント基板をレール部材にスライドさせることによって、電装ボックスの壁面から所定寸法離れた状態に取り付けることが容易となり、プリント基板の安定支持が得られるため、電装ボックスの壁面のうち面積の広い壁面に沿った略平行状態に縦方向配置して、電装ボックスの奥行きを小さくするプリント基板の収納形態とする場合に適する。そして、組み立てもし易く、しかも電装部品の修理点検時にもプリント基板の取り外しもし易いものとなる。
【００１７】
第３の発明では、第１の発明の効果に加えて、防水壁が電装ボックスの支持部となるため、電装ボックスの支持部材を特別に設ける必要がない。
【００１８】
第４の発明は、第１の発明の効果に加えて、防水壁がレール部材の支持部となるため、レール部材の支持部材を特別に設ける必要がない。そして、プリント基板をレール部材にスライドさせることによって、電装ボックスの壁面から所定寸法離れた状態に取り付けることが容易となり、プリント基板の安定支持が得られるため、電装ボックスの壁面のうち面積の広い壁面に沿った略平行状態に縦方向配置して、電装ボックスの奥行きを小さするプリント基板の収納形態とする場合に適する。そして、組み立てもし易く、しかも電装部品の修理点検時にもプリント基板の取り外しもし易いものとなる。
【００１９】
第５の発明は、第２の発明の効果に加えて、蓋体の着脱によって電装ボックス内へのプリント基板の組み立てと電装部品の修理点検等がし易くなる。そして、室外機の背面に沿う状態の取り付ける電装ボックスとして、奥行きが小さくできるため、室外機を建物などの壁面に近接して設置する場合に適し、狭い場所への室外機の設置に適する。更に、室外機を建物などの壁面に近接して設置する場合にも、電装ボックスの奥行きが建物などの壁面との間隔保持に役立ち、室外機の背面から内部の熱交換器へ空気を吸い込むための吸い込み通路の確保にも役立つものとなる。
【００２０】
第６の発明は、第１乃至第５の発明のいずれかの効果に加えて、室外機とは別個にソーラパネル（太陽電池パネル）を設置してこのソーラパネルの電力を利用する場合、電装ボックス内にはソーラパネル用のコンバータを含む電装部品を収納することによって、室外機や室内機に収納されるプリント基板を交換することなくソーラパネル用電装ボックスを設置できるため、ソーラパネルを付加して環境に優しい電力を利用できるようにすることが効果的となる。
【００２１】
第７の発明は、第４の発明の効果に加えて、別個に防水シートの取り付け部材を用意する必要がなく、取り付け作業も簡素化されると共に、防水シートは長いレール部材によって支持されることにより、その支持も安定する。
【００２２】
第８の発明は、第１乃至第６の発明のいずれかの効果に加えて、プリント基板の上側の絶縁シートの取り付けとプリント基板の上側の支持が共通の部材によって達成でき、またプリント基板の左右両側の絶縁シートの取り付けとプリント基板の左右両側の支持がレール部材によって達成できるため、プリント基板の上側と左右両側の絶縁が向上すると共に電装ボックス内でのプリント基板の安定支持が達成され、プリント基板の支持構造も簡素化される。
【発明を実施するための最良の形態】
【００２３】
本発明の空気調和機用電装装置は、空気調和機用電装部品が取り付けられたプリント基板を収納する縦長矩形状電装ボックスの縦壁には複数の放熱用開口が形成され、前記縦壁の内面との間に前記電装部品の放熱空気の流通間隔を存して前記複数の放熱用開口を覆う状態に防水壁が配置され、前記防水壁の内側に前記プリント基板が縦方向に支持されたものであり、以下に本発明の実施形態を記載する。
【実施例１】
【００２４】
次に、本発明の実施の形態について説明する。図１は本発明の電装ボックス内を示す斜視図、図２は本発明の電装ボックスの右側壁内側部分の分解斜視図、図３は本発明電装ボックスの右側壁内側部分の横断平面図、図４は本発明電装ボックスの断面による内部図、図５は本発明電装ボックス内上部の絶縁シートの取り付け部の説明図、図６は本発明電装ボックス内のレール部材の内側面図、図７は本発明電装ボックス内にレール部材を取り付ける状態の説明図、図８は図７のレール部材を取り付けた部分の断面図、図９は本発明電装ボックスの蓋体を外した状態の配線状態を示す分解斜視図、図１０は本発明電装ボックスを空気調和機の室外機背面に取り付ける状態の分解斜視図、図１１は本発明電装ボックス内の電装部品への接続電線の引き出し部の説明図、図１２はソーラパネルを本発明に係る空気調和機の室外機の上方に設置した状態の分離型空気調和機の構成図である。以下、実施例１について説明する。
【００２５】
実施例１に係る空気調和機１００は、図１２に示すように室外機１０１と室内機１０２を備え、室外機１０１と室内機１０２は冷媒管と電気配線を束ねた配管部１０３によって接続されている。以下、実施例１に係る空気調和機１００は、ソーラパネル（太陽電池パネル）１０４を室外機１０１の上方に設置した形態について説明する。ソーラパネル１０４は、その裏側の左右部分に円弧状の支持脚１０５が取り付けられている。室外機１０１の左右両側の上部には、ネジ部材６４によって室外機１０１の上方へ突出するように取り付け板１０６が取り付けられており、この左右の取り付け板１０６に支持脚１０５が取り付けられることによって、ソーラパネル１０４が室外機１０１の上方に設置される。
【００２６】
ソーラパネル１０４の上面の受光面が太陽光を効率よく受けるように、ソーラパネル１０４の設置角度を調節可能に構成している。具体的には、取り付け板１０６に対して支持脚１０５の前部が回動自在に軸支持部１０７にて軸支持され、支持脚１０５の後部には軸支持部１０７を中心とした円弧状長孔１０８が形成され、取り付け板１０６にはこの円弧状長孔１０８を貫通する軸１０９が取り付けられている。このため、軸支持部１０７を中心にソーラパネル１０４を好ましい角度に回動させた状態で、この軸１０９のネジ部に螺合するナット１１０を締め付けることによって、その位置にソーラパネル１０４を傾斜固定できる構成である。
【００２７】
室内機１０２は、冷房運転時には冷媒を蒸発させ冷却機能を発揮する熱交換器と、その送風ファンが収納され、室外機１０１には、冷媒圧縮機と冷房運転時には冷媒を凝縮させる機能を発揮する熱交換器とそれに係る放熱用ファンが収納されている。室内機１０２と室外機１０１には、それぞれの制御に関連する電装部品を取り付けたプリント基板が、それぞれ収納状態に取り付けられているが、本発明が対象とする空気調和機用電装装置１の電装ボックス４は、室外機１０１の外面に沿って縦方向に取り付けられる形態であり、以下の実施例は、ソーラパネル１０４に係る電気回路を構成する電装部品を収納するものである。なお、本発明においては理解を容易にするために、後述する室外機１０１の裏側パネル１１２が設けられた側を室外機１０１の後側、その反対側で前記放熱用ファンの吹き出し口が設けられた側を室外機１０１の前側と呼び、電装ボックス４と後述の取り付け板３３についても室外機１０１の前側から見て、前側に位置する側を前側、後側に位置する側を後側、右側に位置する側を右側、左側に位置する側を左側と呼んで説明するものとする。
【００２８】
本発明に係る空気調和機用電装装置１は、空気調和機用電装部品３が取り付けられたプリント基板２を収納する縦長矩形状電装ボックス４の左右の縦壁５には複数の放熱用開口６が形成され、左右の縦壁５の内面との間に電装部品３の放熱空気の流通間隔７を存して複数の放熱用開口６を覆う状態に左右の防水壁８が配置され、プリント基板２はその左右両端部が左右の防水壁８に設けたレール部材９にスライド自在に縦方向に支持された構成である。
【００２９】
これを詳しく説明すると、電装ボックス４は、前後方向の奥行きに比して左右方向の横幅が大きい縦長矩形状の筐体をなし、前壁１１と上壁１２と左右壁５を備えた鋼板等の金属製本体４Ａの後面と下面が開放していて、この後面と下面が取り外し自在な鋼板等の金属製のＬ字状の蓋体１０にて塞がれた形態である。本体４Ａの上壁１２の後端には下方へ垂下したフランジ１３が形成され、本体４Ａの左右壁５の後端には内向きフランジ１４が形成されている。蓋体１０は、その縦壁１０Ａの上端縁をフランジ１３の内側に潜り込ませた状態で、縦壁１０Ａをフランジ１４にネジ１５で固定することによって、蓋体１０の横壁１０Ｂが本体４Ａの下面を塞ぐ状態で本体４Ａに取り付けられる。蓋体１０の本体４Ａへの取り付けによって、電装ボックス４は、前後、上下、左右が塞がれた中空の筐体構造となる。蓋体１０と本体４Ａとの当接部（フランジ１３、フランジ１４の部分）にはシール材が介在されており、これによって防水効果の向上を図っている。
【００３０】
本体４Ａの左右の縦壁５には電装ボックス４内に収納されるプリント基板２上の電装部品３の複数の放熱用開口６が形成されている。図示の放熱用開口６は多数の円形孔で形成しているが、これに限らず横方向に伸びたスリットが複数段に形成されたものや、上端に斜め下外方へ延びた庇を持つスリットを形成した構成でもよい。
【００３１】
左右の縦壁５の内面と略均一した放熱空間７が形成されるように、左右の縦壁５の内面に略平行に左右の防水壁８が配置されている。具体的には、左右の縦壁５の内面との間に電装部品３の放熱空気の流通間隔７（放熱空間７）を存して複数の放熱用開口６を覆う状態に左右の防水壁８が配置されている。この防水壁８は、その前端フランジ部８Ｂを本体４Ａの前壁１１に溶接にて固定しており、上下端縁部と後端縁部には斜め外方に延びたフランジ８Ａを一体形成している。
【００３２】
これによって、放熱用開口６から勢いよく侵入した雨水が防水壁８に衝突して飛散水となっても、この飛散水はフランジ８Ａに衝突するため、この飛散水が放熱空気の流通間隔７（放熱空間７）から飛び出してプリント基板２上の電装部品３やその配線部に掛かることが防止できる。
【００３３】
また、防水壁８のフランジ８Ａは、本体４Ａの壁との間に隙間７Ａがある。即ち、左右の縦壁５との間には、電装部品３の放熱空気が流通間隔７（放熱空間７）へ流れるように空気の流通間隔７Ａを形成した状態である。これによって、放熱用開口６から進入する外気は流通間隔７（放熱空間７）から流通間隔７Ａを通って電装ボックス４内に入り、電装部品３を冷却し、それによって発生する放熱空気は流通間隔７Ａから流通間隔７（放熱空間７）を通って放熱用開口６から外部へ排出される。このような空気流通によって、電装部品３の放熱は良好に行われる。
【００３４】
電装ボックス４内に収納されるプリント基板２は、空気調和機１００の運転制御に係る電装部品を取り付けたものでもよいが、この実施例では、ソーラパネル１０４の発電電力を昇圧するＤＣ（直流）−ＤＣ（直流）コンバータやパワーコントローラ等の電気回路やそれに係る電装部品３が取り付けられている。そして、プリント基板２には、室内機１０２に収納したプリント基板上の電気回路と電気接続される電線１６の接続端子部１７Ａ、室外機１０１に収納したプリント基板上の電気回路と電気接続される電線（リード線）１６の接続端子部１７Ｂ、及びソーラパネル１０４の端子に接続される電線１６の接続端子部１７Ｃが設けられている。接続端子部１７Ｃが２個設けられているのは、後述のようにソーラパネル１０４を２セット設置した場合に各ソーラパネル１０４の電線１６の接続用である。
【００３５】
電装ボックス４内に収納されるプリント基板２は、その左右両端部が左右の防水壁８に取り付けた合成樹脂製のレール部材９にスライド自在に縦方向に支持された構成である。レール部材９はナイロン等の合成樹脂成形体であり、プリント基板２を支持する側は、プリント基板２の端部がレール部材９の長さ方向に挿入される溝２２を形成している。この溝２２は、プリント基板２の左右端部が緩く挿入されるように、プリント基板２の左右端部の厚さｔ１よりも若干大きい幅ｔ２を有し、溝２２は複数箇所にプリント基板２の表面を押し圧するように互いに対向する側へ曲線で突出屈曲した弾性保持部２３を一体形成している。
【００３６】
電装ボックス４内には、プリント基板２上の電装部３やその配線部と電装ボックス４との間の電気絶縁を確保するために、絶縁シート２６が、プリント基板２の左右両側と上部と、電装ボックス４との間に設けられている。具体的には、以下に説明するように、プリント基板２の左右端部側は、レール部材９の防水壁８への取り付けによってレール部材９と防水壁８の間に絶縁シート２６を挟持している。これによって防水壁８の内側面に沿うように絶縁シート２６が配設され、プリント基板２上の電装部３やその配線部と電装ボックス４の一部である防水壁８との間の電気絶縁が確保される。そして、プリント基板２の上端部側では、保持部材２８によって絶縁シート２６が取り付けられており、プリント基板２上の電装部３やその配線部と電装ボックス４の壁との間の電気絶縁が確保される。
【００３７】
更に具体的に説明すれば、レール部材９は、左右の防水壁８に設けた取り付け用の角孔２４に圧入にて取り付けられる弾性取り付け部２５を溝２２の反対側に一体に形成しており、絶縁シート２６の角孔を貫通して弾性取り付け部２５を角孔２４に圧入することによって、弾性取り付け部２５の左右一対の弾性片２５Ａが、縮まりながら角孔２４を通り、角孔２４を貫通した状態で弾性片２５Ａが復帰広がることによって角孔２４の縁部に係止し、レール部材９が絶縁シート２６を挟持する状態で左右の防水壁８に支持される状態となる。
【００３８】
またプリント基板２の上端部側は、電装ボックス４内上部に溶接にて取り付けた取り付け辺２７が設けられ、レール部材９が防水壁８に取り付けられる構成と同様の構成をなす保持部材２８によって、保持部材２８と取り付け辺２７の間に絶縁シート２６を挟持している。即ち、保持部材２８は、取り付け辺２７に形成した角孔２９に圧入にて取り付けられる弾性取り付け部３０を上面に一体形成しており、絶縁シート２６の角孔を貫通して弾性取り付け部３０を角孔２９に圧入することによって、弾性取り付け部３０の左右一対の弾性片３０Ａが縮まりながら角孔２９を通り、角孔２９を貫通した状態で弾性片３０Ａが復帰広がることによって角孔２９の縁部に係止し、絶縁シート２６を挟持する状態で保持部材２８が取り付け辺２７に支持される状態となる。
【００３９】
保持部材２８は、弾性片３０Ａの反対側には左右方向に延びた下向き溝３１を形成しており、この溝３１の対向壁には弾性保持部３２を一体形成している。この保持部材２８は溝３１によってプリント基板２の上端部を支持するものであり、弾性保持部３２によってプリント基板２の表面を押圧して保持する。
【００４０】
プリント基板２は、左右の防水壁８に支持されたレール部材９の一端部から溝２２へ挿入して弾性保持部２３を押し広げつつレール部材９に沿って押し込み、上端が保持部材２８の溝３１に進入して所定位置に保持される。この保持は弾性保持部２３によって達成される。このため、プリント基板２は、左右端縁がレール部材９の弾性保持部２３によって支持され、上端縁が弾性保持部３２によって保持されるため、プリント基板２をレール部材９に挿入するとき多少の振れがあってもスムーズに挿入することができ、プリント基板２の電装ボックス４への取り付けと取り外しがし易くなる。
【００４１】
プリント基板２の接続端子部１７Ａ、１７Ｂ、１７Ｃへの電線１６の接続は、蓋体１０を本体４Ａに取り付ける前に、電線１６を蓋体１０の引き出し部１８の筒状ゴム材２０内に通した状態とし、レール部材９の所定位置に保持されたプリント基板２の接続端子部１７Ａ、１７Ｂ、１７Ｃに電線１６を接続する。なお、他の順序でもってプリント基板２の接続端子部１７Ａ、１７Ｂ、１７Ｃに電線１６を接続する方法でもよい。
【００４２】
電線１６の引き出し部１８が電装ボックス４の下面、即ち、蓋体１０の横壁（下壁）１０Ｂの側部寄りに設けられ、この引き出し部１８には、蓋体１０の横壁１０Ｂの貫通孔１９に嵌め込み取り付けた筒状ゴム材２０が設けられている。電線１６はこの筒状ゴム材２０内を通して配線され、筒状ゴム材２０を外側から結束バンド２１で縛ることによって、筒状ゴム材２０が電線１６相互の隙間に喰い込む状態で電線１６に密着し、引き出し部１８からの水の浸入が阻止でき、また、電線１６が引っ張られたときには筒状ゴム材２０によってその引張りに抗するため、接続端子部１７Ａ、１７Ｂ、１７Ｃにおける電線１６の外れを防止することができるものとなる。
【００４３】
各電気部品を取り付けたプリント基板２は、上記のように左右端縁がレール部材９の弾性保持部２３によって支持され、上端縁が弾性保持部３２によって保持された状態で各電線１６が引き出し部１８から引き出された状態である。この状態で蓋体１０を本体４Ａのネジ１５留めし、各電線１６の引き出し部１８からの引き出し長さを調節した状態で、筒状ゴム材２０を外側から結束バンド２１で縛ることによって、各電線１６が保持される。後述の電線１６の保持バンド４６、４７はこの状態でネジ４５にて取り付けてもよい。
【００４４】
室外機１０１への電装ボックス４の取り付けは、室外機１０１の外面に取り付けた取り付け板３３に着脱自在に取り付けた構成である。即ち、金属製の取り付け板３３は、固定辺３５と固定辺３５に略直角に繋がる支持辺３６を備え、室外機１０１の一側面（図では室外機１０１の右側面）にネジ３４によって固定辺３５を取り付ける。また、支持辺３６は、その室外機１０１に面した上部と下部に下向きの鉤状係止部が形成されており、この上部の係止部が、室外機１０１の裏側パネル１１２に形成した複数の通風孔１１３Ａ間の横桟１１４Ａに引っ掛けられ、下部の係止部が、裏側パネル１１２に形成した複数の通風孔１１３Ｂ間の横桟１１４Ｂに引っ掛けられて裏側パネル１１２に保持される。これによって、取り付け板３３は室外機１０１の一側コーナに取り付けられている。通風孔１１３Ａ、１１３Ｂは、室外機１０１内に収納した前記冷媒圧縮機と熱交換器の放熱用空気の取り入れ口である。
【００４５】
取り付け板３３の支持辺３６には、上端部に上壁３７を形成し、上壁３７の後端部は支持辺３６と略平行に下方へ屈曲したフランジ３８を形成し、下部には上壁３７の略平行に下壁３９を形成している。支持辺３６と下壁３９との接続部には下方へ窪んだ溝４０が形成されている。上壁３７と下壁３９との間隔は、電装ボックス４の縦寸法よりも若干大きく、支持辺３６とフランジ３８との間隔は電装ボックス４の前後方向の厚さよりも若干大きい寸法である。
【００４６】
電装ボックス４は、その前壁１１の下端部には、下方へ突出した突起部４１を形成している。この構成において、電装ボックス４は室外機１０１の側方（図では室外機１０１の右側）から上壁３７と下壁３９との間に挿入することができ、突起部４１が溝４０内をスライドして電装ボックス４の上部は、上壁３７の下面に沿って支持辺３６とフランジ３８との間隔に挿入される。取り付け板３３の電装ボックス４の挿入入口側の下端部には固定辺４３が形成され、電装ボックス４の挿入後端側の下端部には固定辺４４が形成されている。
【００４７】
このため、この電装ボックス４の挿入によって、固定辺４４が取り付け板３３の固定辺４３に当接した位置が所定位置であり、この位置で上壁３７を貫通するネジ４２によって電装ボックス４を上壁３７に固定し、固定辺４３と固定辺４４を貫通するネジ４５によって固定辺４４を固定辺４３に固定する。このような固定によって電装ボックス４が取り付け板３３に固定される。取り付け板３３からの電装ボックス４の取り外しは、ネジ４２とネジ４５を外すことにより達成できる。
【００４８】
なお、電装ボックス４とソーラパネル１０４とを接続する電線１６の保持バンド４６をネジ４５によって固定辺４４に同時固定することができる。発電電力を増加するために、更にもう１枚のソーラパネル１０４を室外機１０１の傍などに設置して２セットとすることができ、これに対応するために、プリント基板２にはこれに係る電気回路と電線の接続端子１７Ｃを備えている。そして、その電線の保護のための電線保持バンド４７もネジ４５によって固定辺４４に同時固定することができるようになっている。
【産業上の利用可能性】
【００４９】
上記の実施例では、ソーラパネルの発電電力を昇圧するＤＣ−ＤＣコンバータ等の電気回路に係る電装部品を備えたプリント基板を電装ボックス内に収納するものであるが、空気調和機の運転制御に係る電装部品を取り付けたプリント基板を電装ボックス内に収納する形態にも適用できる。このため、上記形態に限定されず、本発明の技術的範囲を逸脱しない限り種々の空気調和機の形態に適用できるものである。
【図面の簡単な説明】
【００５０】
【図１】本発明の電装ボックス内を示す斜視図である。（実施例１）
【図２】本発明の電装ボックスの右側壁内側部分の分解斜視図である。（実施例１）
【図３】本発明電装ボックスの右側壁内側部分の断面図である。（実施例１）
【図４】本発明電装ボックスの断面による内部図である。（実施例１）
【図５】本発明電装ボックス内上部の絶縁シートの取り付け部の説明図である。（実施例１）
【図６】本発明電装ボックス内のレール部材の内側面図である。（実施例１）
【図７】本発明電装ボックス内にレール部材を取り付ける状態の説明図である。（実施例１）
【図８】図７のレール部材を取り付けた部分の断面図である。（実施例１）
【図９】本発明電装ボックスの蓋体を外した状態の配線状態を示す分解斜視図である。（実施例１）
【図１０】本発明の電装ボックスを空気調和機の室外機背面に取り付ける状態の分解斜視図である。（実施例１）
【図１１】本発明の電装ボックス内の電装部品への接続電線の引き出し部の説明図である。（実施例１）
【図１２】ソーラパネルを本発明に係る空気調和機の室外機の上方に設置した状態の分離型空気調和機の構成図である。（実施例１）
【符号の説明】
【００５１】
１・・・空気調和機用電装装置
２・・・プリント基板
３・・・電装部品
４・・・電装ボックス
４Ａ・・電装ボックス本体
５・・・電装ボックスの左右の縦壁
６・・・放熱用開口
７・・・放熱空間
８・・・防水壁
８Ａ・・フランジ
９・・・レール部材
１０・・蓋体
１６・・電線（リード線）
２２・・溝
２３・・弾性保持部
２４・・角孔
２５・・弾性取り付け部
２６・・絶縁シート
２８・・保持部材
３０・・弾性取り付け部
３１・・溝
３２・・弾性保持部
３３・・取り付け板
３５・・固定辺
３６・・支持辺
１００・・空気調和機
１０１・・室外機
１０２・・室内機
１０３・・配管部
１０４・・ソーラパネル
【図１】
2005249269.tif 000003
【図２】
2005249269.tif 000004
【図３】
2005249269.tif 000005
【図４】
2005249269.tif 000006
【図５】
2005249269.tif 000007
【図６】
2005249269.tif 000008
【図７】
2005249269.tif 000009
【図８】
2005249269.tif 000010
【図９】
2005249269.tif 000011
【図１０】
2005249269.tif 000012
【図１１】
2005249269.tif 000013
【図１２】
2005249269.tif 000014